(57)【要約】  【課題】    本発明は、ＲＦＩＤタグが大型化させることなく、各種の用途に使用することができるＲＦＩＤタグを提供することにある。  【解決手段】  ＩＣチップ４と、アンテナ５と、保護シート６と、を備えたＲＦＩＤインレット２と、このＲＦＩＤインレット２にマグネット体９を保持する取付シート３を装着されたことを特徴とするＲＦＩＤタグ１にあります。【選択図】        図１
2007041634.tif 000002
【特許請求の範囲】
【請求項１】
ＩＣチップと、このＩＣチップに接続されたアンテナとを備え、前記ＩＣチップと前記アンテナとを覆う保護シートからなるＲＦＩＤインレットと、
このＲＦＩＤインレットの少なくとも一面にマグネットを有するマグネット体を保持する取付シートを装着されたことを特徴とするＲＦＩＤタグ。
【請求項２】
前記取付シートに切欠部を形成し、マグネット体が前記切欠部に差し込まれて保持するようにしたことを特徴とする請求項１記載のＲＦＩＤタグ。
【請求項３】
前記マグネット体は、前記切欠部に着脱自在であることを特徴とする請求項２記載のＲＦＩＤタグ。
【請求項４】
前記取付シートに切欠部を形成したポケット部を有し、前記マグネット体が前記ポケット部に挿入されることを特徴とする請求項１記載のＲＦＩＤタグ。
【発明の詳細な説明】
【技術分野】
【０００１】
本発明は、ＲＦＩＤ（Ｒａｄｉｏ  Ｆｒｅｑｕｅｎｃｙ  ＩＤｅｎｔｉｆｉｃａｔｉｏｎ）タグに関する。
【背景技術】
【０００２】
近年、データの記憶あるいは読みだしが可能なＩＣチップを備えたＲＦＩＤ（Ｒａｄｉｏ  Ｆｒｅｑｕｅｎｃｙ  ＩＤｅｎｔｉｆｉｃａｔｉｏｎ）タグが開発されている。ＲＦＩＤタグは、送受信アンテナと、この送受信アンテナに接続され、メモリを有するＩＣチップとが設けられ、これらを透明材料から成るフィルムで覆うようにしおり、非接触伝送方式にてデータの読み書きができるようにしてある。
【０００３】
ＲＦＩＤタグは、複数の商品を輸送する輸送容器の中に入れられて、複数の商品の商品情報をＲＦＩＤタグに記憶させることにより、輸送容器を開梱することなく輸送容器の中の商品情報を読み出すことができ、効率的な物流管理を行うことができる。
また近年、ＲＦＩＤタグを金属などの被貼付体に設けることが提案されている。金属などに貼付されるＲＦＩＤタグは、通信が可能となるようにＲＦＩＤタグのアンテナコイルの金属側貼付面にフェライトや珪素鋼板などの高透磁性材で金属とＲＦタグとを遮蔽した構造の金属対応型ＲＦＩＤタグを用いたり、ＲＦＩＤタグにマグネットを固着して、このマグネットを介して金属に貼付させることが提案されている（例えば、特許文献１）。
【０００４】
しかしながら、高透磁性材で金属とＲＦタグとを遮蔽する構造では、構造上タグが厚くなり、タグ大型化の要因となるという問題点がある。
また、ＲＦＩＤタグにマグネットを固着した場合には、重くなり他の用途に使用するのが困難であるという問題点もある。
また、マグネットと相性の合わない商品に接触あるいは近づけて使用する場合には、利用することができなくなり利用性に乏しいとい問題がある。
【０００５】
【特許文献１】特開２００５−７８２５６号公報
【発明の開示】
【発明が解決しようとする課題】
【０００６】
本発明の目的は、ＲＦＩＤタグを構造上、厚くならないようにして、ＲＦＩＤタグが大型化しないＲＦＩＤタグを提供することにある。
また、ＲＦＩＤタグを重くすることなく、広範囲の用途に利用することができるＲＦＩＤタグを提供することにある。
また、マグネットと相性の合わない物品に対しても、利用することができるＲＦＩＤタグを提供することにある。
【課題を解決するための手段】
【０００７】
本発明は、マグネット体を選択的に利用することに着目したもので、第１の発明（請求項１）は、ＩＣチップと、このＩＣチップに接続されたアンテナとを備え、前記ＩＣチップと前記アンテナとを覆う保護シートからなるＲＦＩＤインレットと、このＲＦＩＤインレットの少なくとも一面にマグネットを有するマグネット体を保持する取付シートを装着されたことを特徴とするＲＦＩＤタグにあります。
第２の発明（請求項２）は、前記取付シートに切欠部を形成し、マグネット体が前
記切欠部に差し込まれて保持するようにしたことを特徴とする請求項１記載のＲＦＩＤタグにあります。
第３の発明（請求項３）は、前記マグネット体は、前記切欠部に着脱自在である
ことを特徴とする請求項２記載のＲＦＩＤタグにあります。
第４の発明（請求項４）は、前記取付シートに切欠部を形成したポケット部を有し、マグネット体が前記ポケット部に挿入されることを特徴とする請求項１記載のＲＦＩＤタグにあります。
【発明の効果】
【０００８】
本発明は、マグネット体を用途に応じて使用することができるので、マグネット体
が必要ない場合には取り外すことができ、ＲＦＩＤタグの厚みを薄くすることができ、輸送容器などに支障なく同梱することができる。
また、マグネット体を選択的に設けることができるので、常に重くなることがなく、他の用途に使用することができる。
さらに、マグネット体と相性の合わない物品に対しても、マグネットを容易に外すことができるので、利用が限定されることがない。
また、マグネット体を設けることにより、金属などの貼付することができ、また非接触で通信することができる。
【発明を実施するための最良の形態】
【０００９】
本発明を実施するための最良の形態を図１ないし図４に基づいて説明する。
図１は、本発明のＲＦＩＤタグを拡大した要部説明図であり、図２は、ＲＦＩＤタ
グの第一の実施の形態を示した平面図であり、図３は、ＲＦＩＤタグの第二の実施の形態を示した平面図であり、図４は、ＲＦＩＤタグの第三の実施の形態を示した平面図である。
【００１０】
ＲＦＩＤタグ１は、ＲＦＩＤインレット２と、取付シート３と有している。
ＲＦＩＤインレット２は、ＩＣチップ４と、ＩＣチップ４に電気的に接続され図示しない通信機からの信号を受信するアンテナ５と、を備えている。また、ＲＦＩＤインレット２は、ＩＣチップ４とアンテナコイル５とを覆うように保護シート６が装着され、薄板状で略長方形の形状を有している。ＲＦＩＤインレット２は、可撓性あるいは柔軟性を有したシートまたは硬質性のシートであってもよい。
ＩＣチップ４は、アンテナ５を介して通信機からの信号を非接触で受信、復調し通信機からのデータを記憶または呼出す機能を有する。また、ＩＣチップ４には固有の情報が記憶されている。
【００１１】
ＲＦＩＤタグ１には、ＲＦＩＤインレット２を内包に位置するように全体を覆う取付シート３が設けられている。取付シート３は、薄板状のフィルムからなり、透明または半透明とすることができる。また、取付シート３は通信機からの信号やデータなどの交信を妨げない材質で設けられている。さらに、ＲＦＩＤタグ１の両面のＲＦＩＤインレット２と取付シート３との間には、空隙７が形成されている。
【００１２】
次に、図２に基づいてＲＦＩＤタグの第一の実施の形態を説明する。
ＲＦＩＤタグ１のＲＦＩＤインレット２を覆う取付シート３の一方面には、切欠部８ａ・・８ａが形成されている。この切欠部８ａ・・８ａは、取付シート３の長方形状の各コーナ部１０の近傍に設けられている。
各コーナ部１０に形成された各切欠部８ａに、マグネットを有したマグネットシート９（マグネット体）が差込まれて設けることができる。
マグネットシート９は、ＲＦＩＤタグ１よりやや小さい略長方形の形状を有し、マグネットシート９の各コーナ部が各切欠部８ａに差し込まれている。また、マグネットシート９は、硬質または軟質の何れかの材質から形成することができる。
【００１３】
このようにマグネットシート９が取付けられたＲＦＩＤタグ１は、図示しない金属製の被貼付体にマグネットシート９を介して吸着して貼り付けられる。金属製の被貼付体にマグネットシート９を介してＲＦＩＤインレット２が配置されるので、通信に影響されることなくＩＣチップ４に読書きすることができる。
また、マグネットシート９を取付シート３から容易に外すことができるので、例えば、ＩＣチップ４にデータを書込み後に、ＲＦＩＤタグ１を輸送容器に中に物品（何れも図示せず）と同梱することができる。この時には、マグネットシート９が取外されているので、軽量で、且つ厚みも薄くなるのでスペースをとることなく同梱できる。
【００１４】
このように、ＲＦＩＤタグ１は、使用する用途に応じてマグネットシート９を着脱することができるので、使用される用途に限定されることがない。
尚、マグネットシート９は、金属に貼付させるのに充分な保磁力を有し、その磁性により金属に対して着脱が自在である。
【００１５】
次に、図３に基づいてＲＦＩＤタグの第二の実施の形態を説明する。尚、第一の実施の形態と同一部分には、同一の符号を付し、説明を省略する。
ＲＦＩＤタグ１１には、ＲＦＩＤインレット２を覆う取付シート１２が設けられ、この取付シート１２の一方面に切欠部８ｂが形成されている。この切欠部８ｂは、取付シート１２の長手方向の側端部に形成されている。切欠部８ｂは、取付シート１２の長手方向に沿って形成されている。
【００１６】
このように形成された切欠部８ｂは、ＲＦＩＤインレット２と取付シート１２との間に両面に空隙１３が形成されるので、袋状のポケット部１４が形成される。このポケット部１４にマグネットシート９を切欠部８ｂから挿入することができ、マグネットシート９の全体がポケット部１４に収納することができる。尚、取付シート１２は、磁性力を妨げることが極めて少ない材質が好適である。
【００１７】
このように、マグネットシート９がポケット部１４に収納されたＲＦＩＤタグ１１は、図示しない金属性の被貼付体にマグネットシート９を介して吸着して貼り付けられる。金属性の被貼付体にマグネットシート９を介してＲＦＩＤインレット２が配置されるので、通信に影響されることなく、図示しない通信機により、ＩＣチップ４に読書きすることができる。
【００１８】
また、マグネットシート９を容易に取り出すことができるので、マグネットシート９を外した場合には、軽量で、且つ厚みも薄くなるのでスペースをとることない。よって、輸送容器（図示せず）に中に容易に同梱することができる。
このように、使用する用途に応じてマグネットシート９を着脱することができるので、用途に限定されることがない。
尚、マグネットシート９は、金属に貼付させるのに充分な保磁力を有し、その磁性により金属に対して着脱が自在である。
【００１９】
次に、図４に基づいてＲＦＩＤタグの第三の実施の形態を説明する。尚、第一および第二の実施の形態と同一部分には、同一の符号を付し、説明を省略する。
ＲＦＩＤタグ１５には、ＲＦＩＤインレット２の一方面に取付シート１６が設けられている。この取付シート１６には引掛け部８ｃ・・８ｃと、切欠部８ｄ・・８ｄが形成されている。
引掛け部８ｃは、ＲＦＩＤインレット２の各コーナ部１７（四隅）に引掛けることができるような形状を有しており、容易に取付シート１６が脱落しないように形状としている。
切欠部８ｄ・・８ｄは、ＲＦＩＤインレット２の各側辺に略コ字状に形成されており、マグネットシート９が切欠部８ｄから挿入することが可能なように容易に形成されている。
【００２０】
このように各切欠部８ｄが形成されたＲＦＩＤタグ１５は、ＲＦＩＤインレット２と取付シート１６との間に空隙１８が形成されるので、この空隙１８にマグネットシート９を挿入して保持することができる。尚、取付シート１６は、磁性力を妨げることが極めて少ない材質が好適である。
【００２１】
このように、マグネットシート９が保持されたＲＦＩＤタグ１５においても、金属性の被貼付体にマグネットシート９を介して吸着して貼り付けられ、通信に影響されることなくＩＣチップ４に読書きすることができる。
また、マグネットシート９を容易に取り出すことができるので、マグネットシート９を外した場合には、スペースをとることなく、ＲＦＩＤタグ１５を輸送容器（図示せず）に中に容易に同梱することができる。
【００２２】
このように、使用する用途に応じてマグネットシート９を着脱することができるので、用途に限定されることがない。
尚、マグネットシート９は、金属に貼付させるのに充分な保磁力を有し、その磁性により金属に対して着脱が自在である。
また、第一の実施の形態ないし第三の実施の形態で説明した構成は組合せすることが可能である。
【００２３】
本発明の各実施の形態では、マグネット体としてマグネットシートを例にして説明したが、マグネット体は取付シートに取付または収納できる形状であれば、如何なる形状であってもよい。
取付シートの切欠部は、取付シートの一方面に形成するようにしたが、必要に応じて両方の面に形成することができる。
ＲＦＩＤタグの両面に空隙が形成された例で説明したが、何れか一方の面に空隙を形成してもよい。
【産業上の利用可能性】
【００２４】
物品の管理、物流の管理に取付けられ、あるいは同梱され、または金属の物品に利用することができる。
【図面の簡単な説明】
【００２５】
【図１】本発明のＲＦＩＤタグを拡大した要部説明図である。
【図２】本発明のＲＦＩＤタグの第一の実施の形態を示した平面図である。
【図３】本発明のＲＦＩＤタグの第二の実施の形態を示した平面図である。
【図４】本発明のＲＦＩＤタグの第三の実施の形態を示した平面図である。
【符号の説明】
【００２６】
１      ＲＦＩＤタグ（第一の実施の形態）
２      ＲＦＩＤインレット
３      取付シート
４      ＩＣチップ
５      アンテナ
６      保護シート
７      空隙
８ａ    切欠部
９      マグネットシート（マグネット体）
１１      ＲＦＩＤタグ（第二の実施の形態）
１２      取付シート
８ｂ      切欠部
１４      ポケット部    
１５      ＲＦＩＤタグ（第三の実施の形態）
１６      取付シート
８ｃ      引掛け部
８ｄ      切欠部
【図１】
2007041634.tif 000003
【図２】
2007041634.tif 000004
【図３】
2007041634.tif 000005
【図４】
2007041634.tif 000006